(57)【特許請求の範囲】
【請求項１】
被写体と対向する対向面に、該被写体を撮像するための開口部と該開口部を通して撮像される被写体とともに撮像されて所定の色基準を提供する基準チャートとが設けられている所定の箱形状の枠体と、
前記被写体及び前記基準チャートへ略同じ照明条件で照明する照明光源と、
前記開口部に対向する前記被写体からの反射光と前記基準チャートからの反射光を受光して該被写体と該基準チャートとを撮像するセンサ手段と、
前記被写体と前記基準チャートから前記センサ手段への反射光の光路中に配設されている少なくとも１枚のレンズを有するレンズ部材と、
前記レンズ部材のうち少なくとも１枚のレンズを前記センサ手段に対して垂直方向に移動させるレンズ移動手段と、
を備えていることを特徴とする撮像装置。
【請求項２】
前記レンズ移動手段は、
前記レンズ部材を挟んで前記センサ手段に対して垂直方向に延在して１対配設されその外周面にネジ部の形成されている棒状のガイドレールと、
１対の前記ガイドレールを同期して回転駆動させる回転手段と、
移動対象の前記レンズを保持するとともに前記ガイドレールの前記ネジ部に噛み合うネジ部を有するレンズ保持部材と、
を備えていることを特徴とする請求項１記載の撮像装置。
【請求項３】
前記レンズ部材は、
１枚の結像レンズであることを特徴とする請求項１または請求項２記載の撮像装置。
【請求項４】
前記レンズ部材は、
前記センサ手段に対して垂直方向に配列されている３枚以上の複数枚のレンズが組み合わされており、３枚以上の該レンズのうち、外側２枚以外のレンズのうち少なくとも１枚のレンズが前記レンズ移動手段によって移動されるレンズであることを特徴とする請求項１記載の撮像装置。
【請求項５】
前記撮像装置は、
前記被写体の撮像タイミングと前記基準チャートの撮像タイミングに合わせて前記レンズ移動手段の駆動を制御して前記レンズ部材の前記センサ手段に対する垂直方向位置を調整するレンズ位置調整手段をさらに備えていることを特徴とする請求項１から請求項４のいずれかに記載の撮像装置。
【請求項６】
任意の被写体とともに複数の色からなる基準チャートをレンズ部材を通してセンサ手段で撮像する撮像手段と、
前記被写体の撮像タイミングと前記基準チャートの撮像タイミングに合わせて前記レンズ部材の前記センサ手段に対する垂直方向位置を調整するレンズ位置調整手段と、
前記撮像手段と前記レンズ位置調整手段とを接続する位置調整通信手段と、
を備えている撮像システムであって、
前記撮像手段として、請求項１から請求項４のいずれかに記載の撮像装置を備えていることを特徴とする撮像システム。
【請求項７】
任意の被写体とともに複数の色からなる基準チャートをレンズ部材と通してセンサ手段で撮像する撮像手段と、
前記レンズ部材の前記センサ手段に対する垂直方向位置を調整制御するレンズ位置調整手段と、
前記撮像手段の撮像した前記被写体と前記基準チャートの撮像データに基づいて、該被写体の測色値を算出する算出手段と、
を備えた測色装置であって、
前記撮像手段として、請求項１から請求項４のいずれかに記載の撮像装置を備えていることを特徴とする測色装置。
【請求項８】
任意の被写体とともに複数の色からなる基準チャートをレンズ部材と通してセンサ手段で撮像する撮像手段と、
前記レンズ部材の前記センサ手段に対する垂直方向位置を調整制御するレンズ位置調整手段と、
前記撮像手段の撮像した前記被写体と前記基準チャートの撮像データに基づいて、該被写体の測色値を算出する算出手段と、
前記撮像手段と前記レンズ位置調整手段とを接続する位置調整通信手段と、
前記撮像手段と前記算出手段を接続する測色通信手段と、
を備えた測色システムであって、
前記撮像手段として、請求項１から請求項４のいずれかに記載の撮像装置を備えていることを特徴とする測色システム。
【請求項９】
測色装置で測色された測色値に基づいて色調整した画像データを用いて画像形成する画像形成装置であって、
前記測色装置として、請求項７記載の測色装置を備えいることを特徴とする画像形成装置。
【発明の詳細な説明】
【技術分野】
【０００１】
本発明は、撮像装置、撮像システム、測色装置、測色システム及び画像形成装置に関し、詳細には、被写体と基準チャートを安定して撮像する撮像装置、撮像システム、測色装置、測色システム及び画像形成装置に関する。
【背景技術】
【０００２】
カラーインク噴射式画像形成装置、カラー電子写真式画像形成装置等の画像形成装置は、画質の向上に伴って、比較的印刷部数は少ないが高画像の要求される広告媒体やパンフレット類等のオフセット印刷にも用いられるようになってきている。
【０００３】
高画質の要求されるオフセット印刷では、顧客の要求する印刷物の色と、画像形成装置で実際に印刷出力した印刷出力結果の色とが異なる場合がある。
【０００４】
通常、顧客は、ディスプレイ上で印刷物の色の確認を行って、印刷を発注するが、画像形成装置は、それぞれ機種固有の色再現特性があり、ディスプレイ上で確認された色とは、異なった印刷結果となることがある。
【０００５】
そこで、従来から、ディスプレイや画像形成装置等のデバイスに依存しない色空間、例えば、Ｌａｂ色空間、ｘｙｚ色空間を用いて色再現を行う技術が用いられるようになってきている。
【０００６】
そして、画像形成装置は、指定の色を出力するために、色材の量等を制御している。例えば、インク噴射式画像形成装置では、インクの吐出量や印字パターン等を演算制御して、インクヘッドからのインクの吐出量を制御することで、出力色の制御を行なっており、電子写真式画像形成装置では、感光体へのトナーの付着量やレーザビームの光量等を制御することで、出力色の制御を行なっている。
【０００７】
ところが、色材の量、例えば、インク噴射式画像形成装置のインクの吐出量は、ヘッドのノズルの状態やインクの粘性ばらつき、吐出駆動素子（ピエゾ素子等）のばらつき等によって、ばらつきがあり、色再現性にばらつきが生じる。また、インク噴射式画像形成装置のインクの吐出量は、１台の画像形成装置内で経時的に変化したり、画像形成装置毎に各々異なったりし、経時的に、また、画像形成装置毎に画像の色再現にばらつきが発生してしまう。
【０００８】
そこで、従来から、画像形成装置においては、機器固有の特性による出力のばらつきを抑制して入力に対する出力の再現性を高めるために、色調整処理が行われる。この色調整処理は、例えば、まず、基準色の色パッチの画像（基準色パッチ画像）を画像形成装置により実際に出力し、この基準色パッチ画像を測色装置により測色する。そして、測色装置が測色した基準色パッチ画像の測色値と、対応する基準色の標準色空間における表色値との差分に基づいて色変換パラメータを生成して、この色変換パラメータを画像形成装置に設定する。その後、画像形成装置は、入力した画像データに応じた画像を出力する際に、設定された色変換パラメータに基づいて、該入力画像データに対して色変換を行い、色変換を行った後の画像データに基づいて画像を記録出力することで、機器固有の特性による出力のばらつきを抑制して色再現性の高い画像出力を図っている。
【０００９】
この従来の色調整処理においては、基準色パッチ画像を測色する測色装置として、分光測色器が広く用いられており、分光測色器は、波長毎の分光反射率を得ることができるため、高精度の測色を行うことができる。ところが、分光測色器は多数のセンサを搭載した高価な装置であるため、より安価な装置を用いて高精度の測色を行えるようにすることが要望されている。
【００１０】
そして、従来、色彩基準値をＲＧＢデータで得るべく予め基準色票を測色する基準測色手段と、前記基準色票と被測色体とを含む被写体を同時または別個に撮像することによりＲＧＢデータを得るカラー画像入力手段と、このカラー画像入力手段で得たＲＧＢデータの中から前記基準色票のＲＧＢデータと前記被測色体のＲＧＢデータを抽出する画像抽出手段と、前記画像抽出手段で得た基準色票のＲＧＢデータと前記基準測色手段で得た基準色票のＲＧＢデータとの差分を求め、この差分を用いて少なくとも前記被測色体のＲＧＢデータに対して補正を行なう演算手段とを備えたことを特徴とする測色装置が提案されている（特許文献１参照）。そして、この従来技術では、測色対象となる被写体の近くに被写体の比較対象となる基準色票を置いて、被写体と基準色票とをカラー画像入力手段としてのカラービデオカメラにより同時に撮像して、撮像により得られた基準色票のＲＧＢデータを用いて被写体のＲＧＢデータを補正した上で、被写体のＲＧＢデータを標準色空間における表色値に変換することが開示されている。
【発明の概要】
【発明が解決しようとする課題】
【００１１】
しかしながら、上記公報記載の従来技術にあっては、被写体の比較対象として撮像される基準色票とカラー画像入力手段との位置関係を、撮像毎に一定に保つことが難しく、撮像毎に撮像条件が変動して、安定した撮像を行なうことが困難であるという問題があった。
【００１２】
そこで、本発明は、被写体と基準チャートを常に安定した位置関係で撮像することを目的としている。
【課題を解決するための手段】
【００１３】
上記目的を達成するために、請求項１記載の撮像装置は、被写体と対向する対向面に、該被写体を撮像するための開口部と該開口部を通して撮像される被写体とともに撮像されて所定の色基準を提供する基準チャートとが設けられている所定の箱形状の枠体と、前記被写体及び前記基準チャートへ略同じ照明条件で照明する照明光源と、前記開口部に対向する前記被写体からの反射光と前記基準チャートからの反射光を受光して該被写体と該基準チャートとを撮像するセンサ手段と、前記被写体と前記基準チャートから前記センサ手段への反射光の光路中に配設されている少なくとも１枚のレンズを有するレンズ部材と、前記レンズ部材のうち少なくとも１枚のレンズを前記センサ手段に対して垂直方向に移動させるレンズ移動手段と、を備えていることを特徴としている。
【発明の効果】
【００１４】
本発明によれば、被写体と基準チャートを常に安定した位置関係で撮像することができる。
【図面の簡単な説明】
【００１５】
【図１】本発明の一実施例を適用した画像形成装置の概略斜視図。
【図２】キャリッジ部分の平面図。
【図３】記録ヘッドの配置図。
【図４】撮像部の平面図。
【図５】図４の撮像部のＡ−Ａ矢視断面図。
【図６】図５の撮像部のＢ−Ｂ矢視断面図。
【図７】基準チャートの平面図。
【図８】レンズユニットの要部拡大正面図。
【図９】画像形成装置の要部ブロック構成図。
【図１０】撮像部と測色制御部のブロック構成図。
【図１１】基準シートからの基準測色値と撮像基準ＲＧＢ値の取得処理及び基準値線形変換マトリックス取得処理の説明図。
【図１２】基準チャートと撮像対象を同時に撮像した画像データの一例を示す図。
【図１３】初期基準ＲＧＢ値の一例を示す図。
【図１４】測色処理の説明図。
【図１５】基準ＲＧＢ置換線形変換マトリックス生成処理の説明図。
【図１６】初期基準ＲＧＢ値と測色時基準ＲＧＢ値の関係を示す図。
【図１７】基本測色処理の説明図。
【図１８】図１７の続きの基本測色処理を示す図。
【図１９】レンズ位置調整を伴う撮像処理を閉めすフローチャート。
【図２０】基準チャートと撮像対象の撮像時におけるレンズ位置調整の説明図。
【図２１】４グループ式ズームレンズの一例を示す拡大正面図。
【図２２】図２１のレンズにおける基準チャートと撮像対象の撮像時のレンズ位置調整の説明図。
【図２３】他の撮像部の正面断面図。
【図２４】さらに他の撮像部の正面断面図。
【図２５】開口部が大きく形成されている撮像部の正面断面図。
【図２６】図２５の撮像部のＡ−Ａ矢視断面図。
【図２７】画像形成システムのシステム構成図。
【発明を実施するための形態】
【００１６】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１７】
図１〜図２７は、本発明の撮像装置、撮像システム、測色装置、測色システム及び画像形成装置の一実施例を示す図であり、図１は、本発明の撮像装置、撮像システム、測色装置、測色システム及び画像形成装置の一実施例を適用した画像形成装置１の概略斜視図である。
【００１８】
図１において、画像形成装置１は、本体筐体２が、本体フレーム３上に配設されており、本体筐体２内には、図１に両矢印Ａで示す主走査方向に主ガイドロッド４と副ガイドロッド５が張り渡されている。主ガイドロッド４は、キャリッジ６を移動可能に支持しており、キャリッジ６には、副ガイドロッド５に係合してキャリッジ６の姿勢を安定化させる連結片６ａが設けられている。
【００１９】
画像形成装置１は、主ガイドロッド４に沿って無端ベルト状のタイミングベルト７が配設されており、タイミングベルト７は、駆動プーリ８と従動プーリ９との間に張り渡されている。駆動プーリ８は、主走査モータ１０によって回転駆動され、従動プーリ８は、タイミングベルト７に対して所定の張りを与える状態で配設されている。駆動プーリ８は、主走査モータ１０によって回転駆動されることで、その回転方向に応じて、タイミングベルト７を主走査方向に回転移動させる。
【００２０】
キャリッジ６は、タイミングベルト７に連結されており、タイミングベルト７が駆動プーリ８によって主走査方向に回転移動されることで、主ガイドロッド４に沿って主走査方向に往復移動する。
【００２１】
画像形成装置１は、本体筐体２内の主走査方向両端部位置に、カートリッジ部１１と維持機構部１２が収納されており、カートリッジ部１１は、イエロー（Ｙ）、マゼンタ（Ｍ）、シアン（Ｃ）、ブラック（Ｋ）の各インクをそれぞれ収納するカートリッジが、交換可能に収納されている。カートリッジ部１１の各カートリッジは、キャリッジ６が搭載する記録ヘッド２０の対応する色の記録ヘッド２０ｙ、２０ｍ、２０ｃ、２０ｋ（図２参照）と、図示しないパイプで連結されており、パイプを通してカートリッジから記録ヘッド２０ｙ、２０ｍ、２０ｃ、２０ｋに対してインクを供給する。なお、以下の説明において、記録ヘッド２０ｙ、２０ｍ、２０ｃ、２０ｋを総称するときには、記録ヘッド２０という。
【００２２】
画像形成装置１は、後述するように、キャリッジ６を主走査方向に移動させながら、プラテン１４（図２参照）上を、主走査方向と直交する副走査方向（図１の矢印Ｂ方向）に間欠的に搬送される記録媒体Ｐにインクを吐出することで、記録媒体Ｐに画像を記録出力する。
【００２３】
すなわち、本実施例の画像形成装置１は、記録媒体Ｐを副走査方向に間欠的に搬送し、記録媒体Ｐの副走査方向の搬送が停止している間に、キャリッジ６を主走査方向に移動させながら、キャリッジ６に搭載された記録ヘッド２０のノズル列からプラテン１４上の記録媒体Ｐ上にインクを吐出して、記録媒体Ｐに画像を形成する。
【００２４】
維持機構部１１は、記録ヘッド２０の吐出面の清掃、キャッピング、不要なインクの吐出等を行って、記録ヘッド２０からの不要なインクの排出や、記録ヘッド２０の信頼性の維持を図っている。
【００２５】
画像形成装置１は、記録媒体Ｐの搬送部分を開閉可能に、カバー１３が設けられており、画像形成装置１のメンテナンス時やジャム発生時に、カバー１３を開けることで、本体筐体２内部のメンテナンス作業やジャム記録媒体Ｐの除去等の作業を行うことができる。
【００２６】
キャリッジ６は、図２に示すように、記録ヘッド２０ｙ、２０ｍ、２０ｃ、２０ｋを搭載しており、記録ヘッド２０ｙ、２０ｍ、２０ｃ、２０ｋは、それぞれ上記カートリッジ部１１の対応する色のカートリッジにパイプで連結されて、それぞれ対応する色のインクを、対向する記録媒体Ｐに吐出する。すなわち、記録ヘッド２０ｙは、イエロー（Ｙ）インクを、記録ヘッド２０ｍは、マゼンタ（Ｍ）インクを、記録ヘッド２０ｃは、シアン（Ｃ）インクを、記録ヘッド２０ｋは、ブラック（Ｋ）インクを、それぞれ吐出する。
【００２７】
記録ヘッド２０は、その吐出面（ノズル面）が、図１の下方（記録媒体Ｐ側）に向くように、キャリッジ６に搭載されており、記録媒体Ｐにインクを吐出する。
【００２８】
画像形成装置１は、タイミングベルト７、すなわち、主ガイドロッド５に平行に、少なくともキャリッジ６の移動範囲に亘ってエンコーダシート１５が配設されており、キャリッジ６には、エンコーダシート１５を読み取るエンコーダセンサ２１が取り付けられている。画像形成装置１は、エンコーダセンサ２１によるエンコーダシート１５の読み取り結果に基づいて主走査モータ１０の駆動を制御することで、キャリッジ６の主走査方向の移動を制御する。
【００２９】
キャリッジ６に搭載されている記録ヘッド２０は、図３に示すように、それぞれの記録ヘッド２０ｙ、２０ｍ、２０ｃ、２０ｋが、複数のノズル列で構成されており、プラテン１４上を搬送される記録媒体Ｐ上にノズル列からインクを吐出することで、記録媒体Ｐに画像を形成する。画像形成装置１では、キャリッジ６の１回の走査で記録媒体Ｐに形成できる画像の幅を広く確保するため、キャリッジ６に、上流側の記録ヘッド２０と下流側の記録ヘッド２０とを搭載している。また、ブラックのインクを吐出する記録ヘッド２０ｋは、黒の印字速度を向上させるために、カラーのインクを吐出する記録ヘッド２０ｙ、６ｍ、６ｃの２倍の数がキャリッジ６に搭載されている。さらに、記録ヘッド２０ｙ、６ｍは、キャリッジ６の往復動作で色の重ね順を合わせて、往路と復路とで色が変わらないようにするために、主走査方向に分割されて隣接する状態で配置されており、記録ヘッド２０の各記録ヘッド２０ｙ、２０ｍ、２０ｃ、２０ｋの配置は、図３に示す配置に限るものではない。
【００３０】
キャリッジ６には、図２に示したように、撮像部（撮像装置）３０が取り付けられており、撮像部３０は、後述する色調整処理時に被写体（測色対象物）を測色するために、被写体を撮像する。
【００３１】
撮像部（撮像装置）３０は、その平面図である図４、図４のＡ−Ａ矢視断面図である図５及び図５のＢ−Ｂ矢視断面図である図６に示すように、基板３１に、基板３１側の面が開放されている四角の箱形状の枠体３２が、締結部材３３によって固定されており、基板３１は、図１に示したキャリッジ６に固定されている。
【００３２】
撮像部３０は、基板３１の枠体３２側の面であってその中央部に、イメージセンサ部３４が配設されており、イメージセンサ部３４は、ＣＣＤ（Charge Coupled Device ）センサやＣＭＯＳ（Complementary Metal Oxide Semiconductor ）センサ等の２次元イメージセンサ（センサ手段）３５とレンズユニット（レンズ部材）３６を備えている。
【００３３】
撮像部３０は、枠体３２が、その基板３１とは反対側の面部（以下、底面部という。）３２ａの下面が、所定の間隔ｄを有してプラテン１４上の記録媒体Ｐと対向する状態で、キャリッジ６に取り付けられており、該底面部（対向面）３２ａには、中心線Ｌｏを中心として、主走査方向にそれぞれ略長方形状の開口部３２ｂと開口部３２ｃが、形成されている。なお、底面部３２ａ、特に、開口部３２ｂと開口部３２ｃの間の底面部３２ａは、正反射光を吸収する所定の表面処理等が施されていてもよい。
【００３４】
間隙ｄは、後述するように、２次元イメージセンサ３５に対する焦点距離を考慮して、小さい方が好ましいが、記録媒体Ｐの平面性との関係から、枠体３２の下面と記録媒体Ｐとが接触しない大きさ、例えば、１ｍｍ〜２ｍｍ程度に設定されている。
【００３５】
なお、枠体３２は、四角の箱形状に限るものではなく、例えば、開口部３２ｂ、３２ｃの形成されている底面部３２ａを有する円筒の箱形状や楕円筒の箱形状等であってもよい。
【００３６】
開口部３２ｃは、後述するように、記録媒体Ｐに形成されている撮像対象（被写体）である基準シートＫＳ（図１１参照）の基準色パッチＫＰ（図１１参照）及び測色調整シートＣＳ（図１４参照）の測色調整色パッチＣＰ（図１４参照）を撮像するのに用いられる。開口部３２ｃは、少なくとも、撮像対象の画像を全て撮像可能な大きさであればよいが、枠体３２と撮像対象との間に間隙ｄがあるため、開口部３２ｃの周辺に発生する影を考慮して、撮像対象の撮像領域の大きさよりも若干大きめの開口状態で形成されている。
【００３７】
開口部３２ｂは、その記録媒体Ｐ側の面に開口部３２ｂの周囲に沿って所定幅の凹部３２ｄが形成されており、該凹部３２ｄに基準チャートＫＣが着脱可能にセットされている。枠体３２の開口部３２ｂの凹部３２ｄには、基準チャートＫＣの記録媒体Ｐ側の面を覆って、基準チャートＫＣを該凹部３２ｄに保持させる保持板３２ｅが勘合、ネジ止め等の方法で着脱可能に取り付けられており、開口部３２ｂは、基準チャートＫＣと保持板３２ｅによって塞がれた状態となっている。保持板３２ｅは、その記録媒体Ｐ側の面が、滑らかな平坦面となっている。
【００３８】
基準チャートＫＣは、上記基準シートＫＳの基準色パッチＫＰ及び色調整処理における撮像対象である測色調整シートＣＳの測色調整色パッチＣＰの撮像測色値との比較対象として、撮像部３０により基準色パッチＫＰや測色調整色パッチＣＰと同時に撮影される。すなわち、撮像部３０は、枠体３２の底面部３２ａに設けられた開口部３２ｃを通して枠体３２の外部に位置する基準シートＫＳの基準色パッチＫＰや測色調整シートＣＳの測色調整色パッチＣＰの撮像とともに、枠体３２の底面部３２ａの開口部３２ｂ周囲に形成されている凹部３２ｄに装着されている基準チャートＫＣ上の色パッチを、比較対象として撮像する。なお、撮像部３０は、２次元イメージセンサ３５が画素を順次走査して画像を読み取るため、厳密には、基準シートＫＳの基準色パッチＫＰや測色調整シートＣＳの測色調整パッチＣＰと基準チャートＫＣを同時には読み取らないが、１フレーム内に基準色パッチＫＰや測色調整パッチＣＰと基準チャートＫＣの画像を取得することができることから、以降、適宜、同時取得として表現する。
【００３９】
この基準チャートＫＣは、その枠体３２内部側の面（上面）に、図７に示すように、後述する基準シートＫＳと同様に、測色用の複数の基準色パッチ列Ｐａ〜Ｐｄ、ドット径計測用パターン列Ｐｅ、距離計測用ラインｌｋ及びチャート位置特定用マーカｍｋが形成されている。
【００４０】
測色用のパッチ列Ｐａ〜Ｐｄは、ＹＭＣの１次色の色パッチを階調順に配列したパッチ列Ｐａと、ＲＧＢの２次色の色パッチを階調順に配列したパッチ列Ｐａと、グレースケールのパッチを階調順に配列したパッチ列（無彩色の階調パターン）Ｐｃと、３次色のパッチを配列したパッチ列Ｐｄと、があり、ドット径計測用パターン列Ｐｅは、大きさが異なる円形パターンを大きさ順に配列された幾何学形状測定用のパターン列である。
【００４１】
距離計測用ラインｌｋは、測色用のパッチ列Ｐａ〜Ｐｄやドット径計測用パターン列Ｐｅを囲む矩形の枠線として形成されている。チャート位置特定用マーカｍｋは、距離計測用ラインｌｋの四隅の位置に設けられていて、各パッチ位置を特定するためのマーカである。
【００４２】
後述する測色制御部１０６（図９及び図１０参照）は、撮像部３０から取得した基準チャートＫＣの画像データから距離計測用ラインｌｋとその四隅のチャート位置特定用マーカｍｋを特定することで、基準チャートＫＣの位置及び各パターンの位置を特定する。
【００４３】
測色用の基準色パッチ列Ｐａ〜Ｐｄを構成する各パッチは、後述する基準チャートＫＣの基準パッチＫＰと同様に、分光器ＢＳ（図１１参照）を用いて、標準色空間であるＬａｂ色空間における表色値（Ｌａｂ値）が予め計測されており、後述する測色調整シートＣＳの測色調整色パッチＣＰを測色する際の基準値となる。
【００４４】
なお、基準チャートＫＣに配置されている測色用のパッチ列Ｐａ〜Ｐｄの構成は、図７に示す配置例に限定されるものではなく、任意のパッチ列を用いることができ、例えば、可能な限り色範囲を広く特定することのできるパッチを用いてもよいし、また、ＹＭＣＫの１次色のパッチ列Ｐａや、グレースケールのパッチ列Ｐｃは、画像形成装置１に使用されるインクの測色値のパッチで構成されていてもよい。また、基準チャートＫＣのＲＧＢの２次色のパッチ列Ｐａは、画像形成装置１で使用されるインクで発色可能な測色値のパッチで構成されていてもよく、さらに、ＪａｐａｎＣｏｌｏｒ等の測色値が定められた基準色票を用いてもよい。
【００４５】
この基準チャートＫＣは、枠体３２の底面部３２ａに形成されている開口部３２ｂの記録媒体Ｐ側の面の外周に形成されている凹部３２ｄに配設されているため、記録媒体Ｐ等の撮像対象と同様の焦点距離で、イメージセンサ部３４の２次元イメージセンサ３５によって撮像することができる。
【００４６】
また、基準チャートＫＣは、枠体３２の底面部３２ａに形成されている開口部３２ｂの記録媒体Ｐ側の面の外周に形成されている凹部３２ｄに、着脱可能にセットされて、記録媒体Ｐ側の面が、該凹部３２ｄに着脱可能に取り付けられている保持板３２ｅで着脱可能に保持されているため、枠体３２内に侵入したゴミ等が基準チャートＫＣ表面に付着しても、保持板３２ｅと基準チャートＫＣを取り外して、基準チャートＫＣを清浄に清掃した後に、再度、取り付けることができ、基準チャートＫＣの測定精度を向上させることができる。
【００４７】
そして、撮像部３０は、図４〜図６に示したように、イメージセンサ部３４の中心を通る副走査方向の中心線Ｌｏ上であって、イメージセンサ部３４の中心からそれぞれ副走査方向に所定量だけ等間隔で離れた位置の基板３１に、１対の照明光源３７が配設されており、照明光源３７としては、ＬＥＤ（Light Emitting Diode）等が用いられている。この照明光源３７は、中心線Ｌｏ上に配設されている。
【００４８】
さらに、撮像部３０は、撮像領域の開口部３２ｃと基準チャートＫＣの配置条件が、レンズユニット３６の中心と照明光源３７を結ぶ中心線Ｌｏに対して、略対称に配置されているため、２次元イメージセンサ３５の撮像条件を線対称で同一にすることができ、基準チャートＫＣを用いた２次元イメージセンサ３５の色調整処理や測色処理の精度を向上させることができる。
【００４９】
そして、レンズユニット３６は、被写体と基準チャートＫＣから２次元イメージセンサ３５への反射光の光路中に配設されており、該反射光を該２次元イメージセンサ３５に集光させる。レンズユニット３６は、図８に示すように、レンズ３６ａとして１枚の結像レンズが用いられているが、後述するように、複数枚のレンズが用いられていてもよく、レンズ部材として機能している。レンズユニット３６のレンズ３６ａは、レンズ位置調整機構部（レンズ移動手段）４０によって２次元イメージセンサ３５に対して垂直方向において、近づく方向と離れる方向（図８に両矢印で示すレンズ移動方向）に移動させる。
【００５０】
レンズ位置調整機構部４０は、レンズ３６ａを挟んで主走査方向にそれぞれ配設されている駆動モータ（回転手段）４１ａ、４１ｂ、駆動モータ４１ａ、４１ｂによって回転駆動されるガイドレール４２ａ、４２ｂ及びガイドレール４２ａ、４２ｂ間に張り渡されてレンズ３６ａを保持するレンズホルダ（レンズ保持部材）４３を備えている。この駆動モータ４１ａ、４１ｂは、レンズ位置調整部５０（図１０参照）によって回転制御される。
【００５１】
ガイドレール４２ａ、４２ｂは、２次元イメージセンサ３５に対して垂直方向に延在して各駆動モータ４１ａ、４１ｂによって回転駆動され、その外周表面に軸方向に螺旋状のネジ溝またはネジ山のネジ部が形成されている。
【００５２】
レンズホルダ４３は、図示しないが、両端部にガイドレール４２ａ、４２ｂが挿入されるネジ穴が形成されており、該ネジ穴のネジ山またはネジ溝のネジ部がガイドレール４２ａ、４２ｂのネジ部と咬み合って、ガイドレール４２ａ、４２ｂの回転方向に応じて、２次元イメージセンサ３５に近づく方向または２次元イメージセンサ３５から離れる方向に移動する。
【００５３】
駆動モータ４１ａ、４１ｂは、後述するレンズ位置調整部５０からのモータ駆動信号によって、同じ方向に回転駆動される。後述するが、駆動モータ４１ａ、４１ｂがパスルモータであると、レンズ位置調整部５０が、駆動モータ４１ａ、４１ｂに出力するモータ駆動信号のパルス数を制御することで、レンズ３６ａの移動量を制御し、開口部３２ｃを通して被写体を撮像するときと、基準チャートＫＣを撮像するときとで、レンズ位置調整部５０から駆動モータ４１ａ、４１ｂに出力するモータ駆動信号の符号を変更することで、駆動モータ４１ａ、４１ｂの回転方向を変更して、レンズ３６ａの移動方向を変更する。
【００５４】
そして、本実施例の画像形成装置１は、図９に示すようにブロック構成されており、ＣＰＵ（Central Processing Unit ）１０１、ＲＯＭ（Read Only Memory）１０２、ＲＡＭ（Random Access Memory）１０３、主走査ドライバ１０４、記録ヘッドドライバ１０５、測色制御部１０６、紙搬送部１０７及び副走査ドライバ１０８等を備えているとともに、上述のようにキャリッジ６に搭載されている記録ヘッド２０、エンコーダセンサ２１及び撮像部３０等を備えている。
【００５５】
ＲＯＭ１０２は、画像形成装置１としての基本プログラム及び色調整処理プログラム等のプログラム及び必要なシステムデータ等を記憶し、ＣＰＵ１０１は、ＲＯＭ１０２内のプログラムに基づいて、ＲＡＭ１０３をワークメモリとして利用しつつ、画像形成装置１の各部を制御して、画像形成装置１としての基本処理を実行するとともに、撮像部３０が撮像したＲＧＢ値に基づいて、測色制御部１０６での測色処理で求められた測色値に基づいて、画像形成時における色調整処理を実行する。
【００５６】
ＣＰＵ１０１は、キャリッジ６及び紙搬送部１０７の制御においては、エンコーダセンサ２１からのエンコーダ値に基づいて主走査ドライバ１０４の駆動を制御して、キャリッジ６の主走査方向の移動を制御し、また、ＣＰＵ１０１は、副走査ドライバ１０８を介して、図示しない副走査モータや搬送ローラ等の紙搬送部１０７の駆動を制御する。さらに、ＣＰＵ１０１は、記録ヘッドドライバ１０５を介して、記録ヘッド２０によるインクの吐出タイミング及びインク吐出量を制御する。また、ＣＰＵ１０１は、測色制御部１０６を介して、撮像部３０の照明光源３７の点灯駆動を制御するとともに、レンズ３６ａのレンズ位置の調整タイミングを制御する。
【００５７】
撮像部３０は、上述したように、画像を記録出力する際の画像データの色を、ユーザの意図する色に正確に再現する色調整用の測色値を生成するために、後述するように、測色時に記録媒体Ｐに記録ヘッド２０によって形成された測色調整パッチＣＰを撮像して、撮像したＲＧＢ値をＣＰＵ１０１に出力する。
【００５８】
そして、撮像部３０及び測色制御部１０６は、図１０に示すようにブロック構成されている。撮像部３０は、上記照明光源３７、イメージセンサ部３４及びレンズ位置調整機構部４０を備えているとともに、画像処理部１１０及びインターフェイス部１１１等を備えており、画像処理部１１０は、Ａ／Ｄ変換部１１２、シェーディング補正部１１３、ホワイトバランス補正部１１４、γ補正部１１５及び画像フォーマット変換部１１６を備えている。
【００５９】
撮像部３０は、イメージセンサ部３４が被写体と基準チャートＫＣを同時に撮像したアナログのＲＧＢ画像データを画像処理部１１０に出力し、画像処理部１１０は、イメージセンサ部３４から送られてくるアナログのＲＧＢ画像データに対して必要な画像処理を施して測色制御部１０６に出力する。
【００６０】
画像処理部１１０のＡ／Ｄ変換部１１２は、イメージセンサ部３４から入力されるアナログのＲＧＢ画像データをデジタル変換してシェーディング補正部１１３に出力する。
【００６１】
シェーディング補正部１１３は、Ａ／Ｄ変換部１１２から入力されるＲＧＢ画像データに対して、イメージセンサ部３４の撮像範囲に対する照明光源３７からの照明光の照度ムラに起因する画像データの誤差の補正を行って、ホワイトバランス補正部１１４に出力する。
【００６２】
ホワイトバランス補正部１１４は、シェーディング補正後のＲＧＢ画像データに対してホワイトバランスを補正して、γ補正部１１５に出力する。
【００６３】
γ補正部１１５は、ホワイトバランス補正部１１４から入力される画像データに対して、イメージセンサ部３４の感度のリニアリティを補償するように補正して、画像フォーマット変換部１１６に出力する。
【００６４】
画像フォーマット変換部１１６は、γ補正後の画像データを任意のフォーマットに変換して、インターフェイス部１１１を介して測色制御部１０６に出力する。
【００６５】
インターフェイス部１１１は、測色制御部１０６から送られた各種設定信号、タイミング信号及び光源駆動信号を撮像部３０が取得し、また、撮像部３０から測色制御部１０６へ画像データを送るためのインターフェイスである。
【００６６】
測色制御部１０６は、フレームメモリ１２１、タイミング信号発生部１２２、光源駆動制御部１２３、演算部１２４及び不揮発性メモリ１２５を備えており、演算部１２４は、測色値算出部１２６を備えている。
【００６７】
フレームメモリ１２１は、撮像部３０から送られてきた画像データを一時的に記憶するメモリであり、保管した画像データを演算部１２４に出力する。
【００６８】
不揮発性メモリ１２５は、図１１に示すように、分光器ＢＳによって、基準シートＫＳに配列形成されている複数の基準色パッチＫＰの測色結果の測色値であるＬａｂ値とＸＹＺ値のうち、少なくともいずれか（図１１では、Ｌａｂ値とＸＹＺ値の双方）が、基準測色値として、不揮発性メモリ１２５のメモリテーブルＴｂ１にパッチ番号に対応して格納されている。
【００６９】
さらに、画像形成装置１は、メモリテーブルＴｂ１に基準測色値が不揮発性メモリ１２５に格納されている状態で、かつ、画像形成装置１の初期状態において、上記基準シートＫＳを画像形成装置１のプラテン１４上にセットして、キャリッジ６の移動を制御して撮像部３０によって該基準シートＫＳの分光器ＢＳで読み取ったのと同じ基準パッチＫＰを読み取った撮像基準ＲＧＢ値を、不揮発性メモリ１２５のメモリテーブルＴｂ１に、パッチ番号に対応させて、すなわち、基準測色値に対応させて格納するとともに、撮像部３０の基準チャートＫＣの各パッチを撮像してＲＧＢ値を取得して、該基準チャートＫＣの各パッチのＲＧＢ値を初期基準ＲＧＢ値ＲｄＧｄＢｄとして、演算部１２４の制御下で不揮発性メモリ１２５のメモリテーブルＴｂ１に格納している。
【００７０】
画像形成装置１は、基準測色値と撮像基準ＲＧＢ値及び初期基準ＲＧＢ値ＲｄＧｄＢｄを不揮発性メモリ１２５に格納すると、測色値算出部１２６が、不揮発性メモリ１２５に格納されている基準測色値のＸＹＺ値と撮像基準ＲＧＢ値の対、すなわち、同じパッチ番号のＸＹＺ値と撮像基準ＲＧＢ値の対に対して、相互に変換する基準値線形変換マトリックスを算出して、算出した基準値線形変換マトリックスを不揮発性メモリ１２５に格納する。
【００７１】
画像形成装置１においては、上記処理を画像形成装置１の初期状態で実行して、実行結果である基準測色値と撮像基準ＲＧＢ値及び初期基準ＲＧＢ値ＲｄＧｄＢｄを不揮発性メモリ１２５のメモリテーブルＴｂ１に登録した後、基準値線形変換マトリックスを算出して、不揮発性メモリ１２５に格納する。
【００７２】
さらに、本実施例の画像形成装置１は、後述するように、色調整処理時に、経時変化等している記録ヘッド２０によって記録媒体Ｐに形成された被写体としての測色調整色パッチＣＰと枠体３２の内部に配置された基準チャートＫＣとをイメージセンサ部３４で同時に撮像して、測色調整色パッチＣＰ及び基準チャートＫＣを含む画像データを測色制御部１０６に出力する。測色制御部１０６は、撮像部３０から取得した色調整処理時にイメージセンサ部３４が撮像した測色調整色パッチＣＰを、基準シートＫＳの基準色パッチ（以下、初期基準色パッチという。）を撮像部３０で読み取ったときに、同時に読み取って記憶した基準チャートＫＣのパッチＰａ〜Ｐｅの初期基準ＲＧＢ値ＲｄＧｄＢｄに変換した後に、該初期基準ＲＧＢ値ＲｄＧｄＢｄに対して、測色調整パッチＣＰのうち線形性を有する部分を取り出して線形変換して測色値を求める測色処理を行なう。
【００７３】
すなわち、演算部（算出手段）１２４は、測色制御部１０６の動作を制御するとともに、測色値算出部１２６が、測色処理を実行して、測色処理の処理結果である測色値をＣＰＵ１０１に出力し、ＣＰＵ１０１は、該測色値を用いて画像データを色調整処理して、色調整処理した画像データに基づいて記録ヘッド２０を制御することで、色再現性を向上させた状態で画像形成する。
【００７４】
そして、レンズ位置調整部５０は、ＣＰＵ、ＲＯＭ、ＲＡＭ等またはマイコンチップ等で構成されている。レンズ位置調整部５０は、ＲＯＭ等のメモリ内のレンズ位置調整プログラムに基づいて、ＣＰＵ１０１からのレンズ位置調整タイミングに応じて、レンズ位置調整機構部４０へのモータ駆動信号を制御して、レンズ位置調整機構部４０の駆動制御、すなわち、駆動モータ４１ａ、４１ｂの回転駆動を制御し、イメージセンサ部３４のレンズ３６ａの位置調整を行なう。
【００７５】
本実施例の画像形成装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本実施例の測色方法を実行する測色プログラムを読み込んでＲＯＭ１０２または不揮発性メモリ１２５等に導入することで、後述する色再現性を安価にかつ安定して実現する測色方法を実行する測色装置を備えた画像形成装置１として構築されている。この測色プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００７６】
次に、本実施例の作用を説明する。本実施例の画像形成装置１は、色再現性を安価にかつ安定して実現する測色方法を実行する。
【００７７】
本実施例の画像形成装置１は、図１１に示したように、分光器ＢＳによって、基準シートＫＳに配列形成されている複数の基準色パッチの測色結果を、Ｌａｂ値とＸＹＺ値のうち、少なくともいずれかを、不揮発性メモリ１２５のメモリテーブルＴｂ１にパッチ番号に対応して基準測色値として格納されている。
【００７８】
また、画像形成装置１は、メモリテーブルＴｂ１に基準測色値が不揮発性メモリ１２５に格納されている状態で、かつ、画像形成装置１が製造またはオバーフォール等によって初期状態であるときに、上記基準シートＫＳを画像形成装置１のプラテン１４上にセットして、キャリッジ６の移動を制御して撮像部３０によって該基準シートＫＳの分光器ＢＳで読み取ったのと同じ基準パッチを読み取るとともに、同時に、図１２に示すように、枠体３２の内部に配置された基準チャートＫＣの各パッチ（初期基準色パッチ）を撮像する。
【００７９】
画像形成装置１は、基準シートＫＳの基準パッチと基準チャートＫＣの各パッチを撮像部３０によって撮像すると、基準シートＫＳの基準パッチを撮像した画像データを画像処理部１１０で処理したＲＧＢ値である撮像基準ＲＧＢ値、すなわち、デバイスに依存するデバイス依存信号を、測色制御部１０６の演算部１２４が、図１１に示したように、不揮発性メモリ１２５のメモリテーブルＴｂ１に、パッチ番号に対応させて、すなわち、基準測色値に対応させて格納するとともに、基準チャートＫＣの初期基準色パッチを読み取って画像処理部１１０で処理したＲＧＢ値である初期基準ＲＧＢ値ＲｄＧｄＢｄを、図１３（ａ）に示すように、不揮発性メモリ１２５に格納する。
【００８０】
なお、演算部１２４は、撮像部３０が読み取った基準チャートＫＣの初期基準色バッチの画像データのうち、所定領域、例えば、図１２に破線で示す領域（測色対象領域）毎に平均値を算出して、初期基準ＲＧＢ値ＲｄＧｄＢｄとしている。このように測色対象領域の多数の画素を平均化して初期基準ＲＧＢ値ＲｄＧｄＢｄを算出すると、ノイズの影響を低減させることができるとともに、ｂｉｔ分解能を向上させることができる。また、図１３（ｂ）は、初期基準ＲＧＢ値ＲｄＧｄＢｄをプロットした散布図であり、図１３（ａ）は、初期基準ＲＧＢ値ＲｄＧｄＢｄをＬａｂ値に変換した基準Ｌａｂ値Ｌｄａｄｂｄ及びＸＹＺ値に変換した基準ＸＹＺ値ｘｄｙｄｚｄも不揮発性メモリ１２５に登録されている状態を示している。
【００８１】
画像形成装置１は、基準測色値と撮像基準ＲＧＢ値及び初期基準ＲＧＢ値ＲｄＧｄＢｄを不揮発性メモリ１２５に格納すると、演算部１２４の測色値算出部１２６が、不揮発性メモリ１２５に格納されている基準測色値のＸＹＺ値と撮像基準ＲＧＢ値の対、すなわち、同じパッチ番号のＸＹＺ値と撮像基準ＲＧＢ値の対に対して、相互に変換する基準値線形変換マトリックスを算出して、算出した基準値線形変換マトリックスを不揮発性メモリ１２５に格納する。
【００８２】
この状態で、画像形成装置１は、外部から入力される画像データや印刷設定等に基づいて、ＣＰＵ１０１が、キャリッジ６の主走査移動制御、紙搬送部４８による記録媒体Ｐの搬送制御及び記録ヘッド２０の駆動制御を行って、記録媒体Ｐを間欠的に搬送させつつ、記録ヘッド２０の各記録ヘッド２０ｙ、２０ｍ、２０ｃ、２０ｋからのインク吐出を制御して、画像を記録媒体Ｐに記録出力する。
【００８３】
このとき、記録ヘッド２０ｙ、２０ｍ、２０ｃ、２０ｋからのインクの吐出量が、機器固有の特性や経時変化等によって変化することがあり、このインクの吐出量が変化すると、ユーザが意図する画像の色とは異なった色で画像形成されることとなって、色再現性が劣化する。
【００８４】
そこで、画像形成装置１は、所定の色調整処理タイミングで、測色値を求めて該測色値に基づいて色調整を行なう色調整処理を実行する。
【００８５】
すなわち、画像形成装置１は、色調整処理タイミングになると、複数の色パッチ（測色調整色パッチ）ＣＰを、図１４に示すように、記録ヘッド２０によって記録媒体Ｐに形成して測色調整シートＣＳとして記録出力する。この測色調整シートＣＳは、複数の測色調整用の色パッチである測色調整色パッチＣＰが、記録ヘッド２０によって形成出力されたものであり、画像形成装置１の色調整処理タイミングにおける出力特性、特に、記録ヘッド２０の出力特性を反映した測色調整色パッチＣＰが形成されている。なお、測色調整色パッチＣＰの色パッチデータは、予め不揮発性メモリ１２５等に格納されている。
【００８６】
そして、画像形成装置１は、後述するように、この測色調整シートＣＳの複数の測色調整色パッチＣＰを撮像したＲＧＢ値を測色対象ＲＧＢ値（測色用ＲＧＢ値）として、この測色対象ＲＧＢ値を初期基準ＲＧＢ値ＲｄＧｄＢｄに変換して、不揮発性メモリ１２５のメモリテーブルＴｂ１に登録されている基準測色値のうち、該初期基準ＲＧＢ値ＲｄＧｄＢｄを変換した測色値に対して距離的に近い基準測色値（近傍基準測色値）を選択して、測色対象ＲＧＢ値を、選択した近傍基準測色値に変換する測色値を求め、該測色値に基づいて色変換を行った後の画像データに基づいて、記録ヘッド２０によって画像を出力することで、画像形成装置１による形成画像の色再現性を向上させる。
【００８７】
そこで、画像形成装置１は、図１４に示すように、この測色調整シートＣＳがプラテン１４上にセットされるか、測色調整シートＣＳを記録した段階で排紙することなくプラテン１４上に保持した状態として、このプラテン１４上の測色調整シートＣＳの複数の測色調整色パッチＣＰを、キャリッジ６の移動を制御して撮像部３０によって撮像すると同時に、撮像部３０によって基準チャートＫＣのパッチを撮像する。画像形成装置１は、測色調整シートＣＳの測色調整色パッチＣＰと基準チャートＫＣのパッチを撮像部３０によって同時に撮像すると、撮像部３０の画像処理部１１０で、測色調整シートＣＳの測色調整色パッチＣＰの画像データと基準チャートＫＣのパッチの画像データに対して、必要な画像処理を行なった後、測色調整シートＣＳの測色調整色パッチＣＰの画像データ（ＲＧＢ値）を測色対象ＲＧＢ値、すなわち、デバイスに依存するデバイス依存信号として、また、基準チャートＫＣのパッチの画像データ（ＲＧＢ値）を測色時基準ＲＧＢ値ＲｄｓＧｄｓＢｄｓとして、測色制御部１０６に送り、測色制御部１０６は、図１４に示すように、フレームメモリ１２１に一時保管する（ステップＳ１１）。
【００８８】
測色制御部１０６は、演算部１２４の測色値算出部１２６が、フレームメモリ１２１に保管された測色対象ＲＧＢ値を、後述する基準ＲＧＢ間線形変換マトリックスを用いて、初期化測色対象ＲＧＢ値ＲｓＧｓＢｓに変換する（ステップＳ１２、Ｓ１３）。
【００８９】
測色制御部１０６の演算部１２４は、変換した初期化測色対象ＲＧＢ値ＲｓＧｓＢｓを、測色対象ＲＧＢ値として（ステップＳ１４）、後述する基本測色処理を実行して、Ｌａｂ測色値を取得する（ステップＳ１５）。
【００９０】
そして、本実施例の画像形成装置１は、演算部１２４の測色値算出部１２６が、上記基準ＲＧＢ間線形変換マトリックスを、図１５及び図１６に示すようにして求める。
【００９１】
すなわち、演算部１２４の測色値算出部１２６は、図１５に示すように、初期時に撮像部３０で基準シートＫＳの基準色パッチＫＰを撮像したときに同時に基準チャートＫＣのパッチを撮像して不揮発性メモリ１２５に格納されている初期基準ＲＧＢ値ＲｄＧｄＢｄと、測色時に撮像部３０で測色調整シートＣＳの測色調整色パッチＣＰを撮像したときに、同時に、基準チャートＫＣのパッチを撮像して不揮発性メモリ１２５に格納されている測色時基準ＲＧＢ値ＲｄｓＧｄｓＢｄｓを、不揮発性メモリ１２５から読み出して、測色時基準ＲＧＢ値ＲｄｓＧｄｓＢｄｓを初期基準ＲＧＢ値ＲｄＧｄＢｄに変換する基準ＲＧＢ間線形変換マトリックスを求め、求めた基準ＲＧＢ間線形変換マトリックスを不揮発性メモリ１２５に格納する。
【００９２】
すなわち、図１６において、図１６（ａ）に白抜き点で示されている点が初期基準ＲＧＢ値ＲｄＧｄＢｄをｒｇｂ空間でプロットした点であり、塗りつぶし点が、測色時基準ＲＧＢ値ＲｄｓＧｄｓＢｄｓをｒｇｂ空間でプロットした点である。図１６（ａ）から分かるように、測色時基準ＲＧＢ値ＲｄｓＧｄｓＢｄｓの値が初期基準ＲＧＢ値ＲｄＧｄＢｄの値から変動しており、これらのｒｇｂ空間上での変動方向は、図１６（ｂ）に矢印で示すように、概ね同じであるが、色相によってずれの方向が異なる。このように同じ基準チャートＫＣのパッチを撮像してもＲＧＢ値が変動する原因としては、照明光源３７の経時変化、２次元イメージセンサ３５の経時変化等がある。
【００９３】
このように、同じ基準チャートＫＣのパッチを撮像したときに変動している状態で、測色調整シートＣＳの測色調整パッチＣＰを撮像したときの測色対象ＲＧＢ値を用いて測色値を求めると、変動分だけ測色値に誤差が発生するおそれがある。
【００９４】
そこで、本実施例の画像形成装置１は、初期基準ＲＧＢ値ＲｄＧｄＢｄと、測色時基準ＲＧＢ値ＲｄｓＧｄｓＢｄｓとの間で最小２乗法等の推定法を用いて、測色時基準ＲＧＢ値ＲｄｓＧｄｓＢｄｓを初期基準ＲＧＢ値ＲｄＧｄＢｄに変換する基準ＲＧＢ間線形変換マトリックスを求め、この基準ＲＧＢ間線形変換マトリックスを用いて、撮像部３０で測色調整シートＣＳの測色調整色パッチＣＰを撮像して不揮発性メモリ１２５に格納されている測色対象ＲＧＢ値を、初期化測色対象ＲＧＢ値ＲｓＧｓＢｓに変換して、変換した初期化測色対象ＲＧＢ値ＲｓＧｓＢｓを、測色対象ＲＧＢ値として、後述する基本測色処理を実行して、Ｌａｂ測色値を取得する。
【００９５】
この基準ＲＧＢ間線形変換マトリックスは、１次だけでなく、さらに高次の非線形マトリックスであってもよく、ｒｇｂ空間とＸＹＺ空間間で非線形性が高い場合には、高次のマトリックスとすることで、変換精度を向上させることができる。
【００９６】
そして、上記撮像部３０は、被写体としての基準シートＫＳの基準色パッチＫＰと測色調整シートＣＳの測色調整色パッチＣＰを、底面部３２ａに形成されている開口部３２ｃを通して撮像する際に、同時に、枠体３２の底面部３２ａの開口部３２ｃに配置されている基準シートＫＳのパッチを撮像することで、常に、同じ位置関係で、基準シートＫＳのパッチを被写体としての基準シートＫＳの基準色パッチＫＰと測色調整シートＣＳの測色調整色パッチＣＰを撮像することができ、安定した状態で撮像することができる。
【００９７】
さらに、撮像部３０のイメージセンサ部３４は、基準チャートＫＣで反射されて開口部３２ｂを通過して２次元イメージセンサ３５に入射される反射光の光路上に結像レンズ３６ｂが配設されており、結像レンズ３６ｂは、基準チャートＫＣを２次元イメージセンサ３５に集光するのに適した焦点深度の曲率を有している。撮像部３０のイメージセンサ部３４は、被写体としての基準シートＫＳの基準色パッチＫＰ、測色調整シートＣＳの測色調整色パッチＣＰ及び基準チャートＫＣで反射されて開口部３２ｃを通して２次元イメージセンサ３５に入射される反射光の光路上に結像レンズ３６ｃが配設されており、結像レンズ３６ｃは、結像レンズ３６ｃは、撮像対象を２次元イメージセンサ３５に集光するのに適した焦点深度の曲率を有している。
【００９８】
したがって、イメージセンサ部３４の撮像する基準色パッチＫＰ、測色調整色パッチＣＰ及び基準チャートＫＣの画像を高精度に読み取ることができ、高精度に測色することができる。
【００９９】
また、撮像部３０は、開口部３２ｃを通して記録媒体Ｐの撮像面に照射する照明光と、基準チャートＫＣを照射する照明光とは、同一の照明光源３７からの照明光であり、同じ照明条件で基準チャートＫＣと記録媒体Ｐの撮像面を同時に撮像することができる。また、照明光源３７は、基準チャートＫＣと記録媒体Ｐの略中間位置である中心線Ｌｏ上に配置され、かつ、レンズユニット３６に対して中心線Ｌｏ上において対象に２個配置されているため、基準チャートＫＣと記録媒体Ｐの撮像領域を略同一条件で、均一に照明することができる。
【０１００】
さらに、撮像部３０は、撮像領域の開口部３２ｃと基準チャートＫＣの配置条件が、レンズユニット３６の中心と照明光源３７を結ぶ中心線Ｌｏに対して、略対称に配置されているため、２次元イメージセンサ３５の撮像条件を線対称で同一にすることができ、基準チャートＫＣを用いた２次元イメージセンサ３５の色調整処理や測色処理の精度を向上させることができる。
【０１０１】
そして、画像形成装置１は、上述のようにして初期測色対象ＲＧＢ値ＲｓＧｓＢｓを求めて、測色対象ＲＧＢ値とすると、図１７及び図１８に示すように、不揮発性メモリ１２５のメモリテーブルＴｂ１に登録されている基準測色値のうち、該測色対象ＲＧＢ値に変換した測色値に対して距離的に近い近傍の基準測色値（近傍基準測色値）を選択して、測色対象ＲＧＢ値を、選択した近傍基準測色値に変換する測色値を求める基本測色処理を実行し、該測色値に基づいて色変換を行った後の画像データに基づいて、記録ヘッド２０によって画像を出力することで、画像形成装置１による形成画像の色再現性を向上させる。
【０１０２】
すなわち、画像形成装置１は、図１７に示すように、測色調整シートＣＳの測色調整色パッチＣＰを撮像して上述のように初期測色対象ＲＧＢ値ＲｓＧｓＢｓを求めて、測色対象ＲＧＢ値として、不揮発性メモリ１２５に格納すると（ステップＳ２１）、上記基準値線形変換マトリックスを用いて（ステップＳ２２）、第１ＸＹＺ値に変換して（ステップＳ２３）、不揮発性メモリ１２５に格納する（ステップＳ２４）。例えば、図１７では、測色値算出部１２６は、撮像部３０の測色対象ＲＧＢ値（３、２００、５）を、（２０、８０、１０）の第１ＸＹＺ値（第１測色値）に変換して、不揮発性メモリ１２５に格納している。
【０１０３】
測色値算出部１２６は、第１ＸＹＺ値を、不揮発性メモリ１２５のメモリテーブルＴｂ１を参照して、または、既知の変換式を用いて、第１Ｌａｂ値（第１測色値）に変換して（ステップＳ２５）、不揮発性メモリ１２５に格納する（ステップＳ２６）。例えば、図１７では、測色値算出部１２６は、第１ＸＹＺ値（２０、８０、１０）を、撮像測色値である第１Ｌａｂ値（７５、−６０、８）に変換している。
【０１０４】
次に、測色値算出部１２６は、図１７にＬａｂ空間で示すように、不揮発性メモリ１２５に格納されているメモリテーブルＴｂ１の複数色の色パッチの基準測色値（Ｌａｂ値）を検索して、該基準測色値（Ｌａｂ値）のうち、Ｌａｂ空間上において第１Ｌａｂ値に対して距離の近い色パッチ（近傍色パッチ）の組みを選択する（ステップＳ２７）。例えば、図１７のＬａｂ空間の図では、６０個の色パッチを選択してＬａｂ空間上にプロットしている図が示されており、距離の近いパッチを選択する方法としては、例えば、第１Ｌａｂ値と、複数の色パッチの基準測色値（Ｌａｂ値）における全点との距離を算出し、第１測色値である第１Ｌａｂ値に対して距離の近い色パッチの基準Ｌａｂ値（図１７では、ハッチングの施されている基準Ｌａｂ値）を選択する。
【０１０５】
次に、測色値算出部１２６は、図１８に示すように、メモリテーブルＴｂ１を参照して、選択組の第１Ｌａｂ値と対になっている撮像基準ＲＧＢ値、すなわち、選択組の第１Ｌａｂと同じパッチ番号の撮像基準ＲＧＢ値（選択ＲＧＢ値）と基準ＸＹＺ値の組み合わせを選択し（ステップＳ２８）、選択した組み合わせ（選択組）の撮像基準ＲＧＢと基準ＸＹＺの組同士で変換するための選択ＲＧＢ値線形変換マトリックスを、最小二乗法を用いて求めて、求めた選択ＲＧＢ値線形変換マトリックスを不揮発性メモリ１２５に格納する（ステップＳ２９）。
【０１０６】
測色値算出部１２６は、測色対象である測色調整シートＣＳの各測色調整色パッチＣＰを撮像部３０で撮像してＡ／Ｄコンバータ３６でデジタル変換した測色対象ＲＧＢ値を、該選択ＲＧＢ値線形変換マトリックスを用いて第２測色値である第２ＸＹＺ値を求め（ステップＳ３０）、第２ＸＹＺ値を既知の変換式を用いて第２Ｌａｂ値に変換して（ステップＳ３１）、最終的な測色値として取得する（ステップＳ３２）。
【０１０７】
測色値算出部１２６は、この求めた測色値を用いて色変換を行った画像データに基づいて画像調整し、画像調整した画像データに基づいて記録ヘッド２０を駆動させて画像形成する。
【０１０８】
すなわち、本実施例の画像形成装置１は、色調整処理タイミングにおける記録ヘッド２０の出力特性を反映している測色調整シートＣＳの複数の測色調整色パッチＣＰを撮像して取得したときの測色対象ＲＧＢ値を、基準値線形変換マトリックスを用いて初期状態で基準シートＫＳを撮像したときの第１Ｌａｂ値を求めて、メモリテーブルＴｂ１に登録されている複数色のパッチの基準Ｌａｂのうち、Ｌａｂ空間上において第１Ｌａｂ値に対して距離の近い基準Ｌａｂ値とのパッチの組みを選択して、選択した基準Ｌａｂ値に対応する測色対象ＲＧＢ値を、選択ＲＧＢ値線形変換マトリックスを用いてＬａｂ値に変換することで、Ｌａｂ測色値を求めている。そして、測色値算出部１２６は、この求めた測色値を用いて色変換を行った画像データに基づいて画像調整し、画像調整した画像データに基づいて記録ヘッド２０を駆動させて画像形成する。
【０１０９】
そして、画像形成装置１は、撮像部３０で基準シートＫＳの基準色パッチＫＰを撮像するとき及び測色調整シートＣＳの各測色調整色パッチＣＰを撮像対象として撮像するときに、枠体３２に取り付けられている基準チャートＫＣの各パッチを撮像するが、このとき、高精度に各パッチを撮像するために、各パッチからの反射光を、イメージセンサ部３４の２次元イメージセンサ３５へ集光するレンズ３６ａの位置を、レンズ位置制御部５０の制御下で、レンズ位置調整機構部４０によって変更調整する。
【０１１０】
すなわち、画像形成装置１は、図１９に示すように、基準シートＫＳの基準色パッチＫＰや測色調整シートＣＳの測色調整色パッチＣＰを撮像するタイミングになると、まず、測色制御部１２０のレンズ位置制御部５０が、初期状態として、基準チャートＫＣのパッチを撮像する位置にレンズ３６ａの位置をセットしており、この状態で、撮像部３０を、基準シートＫＳの基準色パッチＫＰまたは測色調整シートＣＳの測色調整色パッチＣＰ（以下、適宜、撮像対象という。）の撮像位置に移動する（ステップＳ１０１）。
【０１１１】
画像形成装置１は、撮像部３０を、撮像対象の撮像位置に移動すると、まず、基準チャートＫＣのパッチを撮像し（ステップＳ１０２）、基準チャートＫＣの所定パッチの撮像が完了すると、次に、レンズ位置制御部５０からモータ駆動信号を出力して駆動モータ４１ａ、４１ｂを同期して同じ方向に回転駆動させて、レンズホルダ４３の取り付けられているガイドレール４２ａ、４２ｂを同期して同じ方向に回転させることで、レンズ３６ａを保持するレンズホルダ４３の位置、すなわち、レンズ３６ａの位置を基準チャート撮像用位置から撮像対象撮像用レンズ位置に調整する（ステップＳ１０３）。
【０１１２】
すなわち、基準チャートＫＣを撮像するときには、図２０（ａ）に示すように、基準チャートＫＣとレンズ３６ａとの距離をａｋ、レンズ３６ａと２次元イメージセンサ３５との距離をｂｋ、基準チャートＫＣと２次元イメージセンサ３５との距離をＬｋ及びレンズ３６ａの焦点距離をｆとすると、これらの間には、次式で示すような関係がある。
【０１１３】
ａｋ＋ｂｋ＝Ｌｋ
１／ａｋ＋１／ｂｋ＝１／ｆ・・・（１）
そして、開口部３２ｃを通して撮像対象を撮像するときには、図２０（ｂ）に示すように、撮像対象とレンズ３６ａとの距離をａｓ、レンズ３６ａと２次元イメージセンサ３５との距離をｂｓ、撮像対象と２次元イメージセンサ３５との距離をＬｓとすると、レンズ３６ａの焦点距離ｆとこれらの間には、次式で示すような関係がある。
【０１１４】
ａｓ＋ｂｓ＝Ｌｓ
１／ａｓ＋１／ｂｓ＝１／ｆ・・・（２）
したがって、基準チャートＫＣを撮像するときのレンズ３６ａの位置と撮像対象を撮像するときのレンズ３６ａの位置との位置差Δｄは、次式（３）により求めることができる。
【０１１５】
Δｄ＝ｂｋ−ｂｓ・・・（３）
ステップＳ１０３で、撮像対象用レンズ位置に位置調整すると、画像形成装置１は、撮像部３０による撮像対象の撮像を行わせ（ステップＳ１０４）、レンズ位置制御部５０からモータ駆動信号を出力して駆動モータ４１ａ、４１ｂを回転駆動させて、レンズホルダ４３の取り付けられているガイドレール４２ａ、４２ｂを回転させることで、レンズ３６ａを保持するレンズホルダ４３の位置、すなわち、レンズ３６ａの位置を撮像対象撮像用レンズ位置から基準チャート撮像用位置に戻す位置調整を行なう（ステップＳ１０５）。
【０１１６】
ＣＰＵ１０１は、レンズ３６ａの位置調整を行うと、撮像対象及び基準チャートＫＣの必要な全範囲を撮像したかチェックし（ステップＳ１０６）、全範囲の撮像を完了していないときには、ステップＳ１０１に戻って、同様の撮像処理を行なう（ステップＳ１０１〜Ｓ１０６）。
【０１１７】
ＣＰＵ１０１は、ステップＳ１０６で、必要な全範囲の撮像を完了すると、撮像処理を終了する。
【０１１８】
なお、上記説明においては、レンズ３６ａが１枚のレンズまたは１つのレンズ体で構成されて、レンズ３６ａ全体を移動させて焦点距離の調整を行う場合について説明したが、レンズ３６ａの構成としては、上記構成に凪ぎるものではなく、例えば、図２１に示すように、４枚のレンズで構成されたズームレンズ３６ａであってもよい。
【０１１９】
この場合、レンズ３６ａは、３枚の凸レンズ３６ａａ、３６ａｂ、３６ａｄと１枚の凹レンズ３６ａｃが組み合わされて構成されており、中央の凸レンズ３６ａｂと凹レンズ３６ａｃを、２次元イメージセンサ３５に対して近接する方向と離隔する方向に（レンズ移動方向）に移動させることで、焦点距離の調整を行なう。
【０１２０】
すなわち、この場合、外側の２枚のレンズ３６ａａとレンズ３６ａｄは、固定保持されており、中央のレンズ３６ａｂとレンズ３６ａｃが、駆動モータ４１ａ、４１ｂの回転によってレンズ移動方向に移動するレンズホルダ４３に保持されている。したがって、図２２に示すように、基準チャートＫＣ撮像時と撮像対象撮像時とで、駆動モータ４１ａ、４１ｂが回転駆動することで、外側２枚のレンズ３６ａａ、３６ａｄ以外のレンズホルダ４３に保持されている中央のレンズ３６ａｂとレンズ３６ａｃがレンズ移動方向にΔｄだけ移動して、焦点距離を調整する。
【０１２１】
また、基準チャートＫＣの枠体３２への取り付け構造としては、上記構成に限るものではなく、例えば、図２３に撮像部６０として示すように、保持部材３２ｅの上面に直接基準チャートＫＣを貼り付け、保持部材３２を、凹部３２ｄの形成されていない開口部３２ｂに直接取り付けてもよい。
【０１２２】
このようにすると、撮像部６０の構造を簡略化することができるとともに、基準チャートＫＣのパッチ面を記録媒体Ｐの撮像対象の記録面に近づけることができ、画像精度、ひいては、測色精度を向上させることができる。この場合においても、レンズ３６ａの焦点距離ｆと移動量を適切に設定することで、被写体及び基準チャートＫＣに対して２次元イメージセンサ３５への焦点を正確に合わせて撮像することができる。
【０１２３】
さらに、基準チャートＫＣは、図２４に撮像部７０として示すように、開口部３２ｂが形成されていない底面部３２ａに直接貼り付け等の方法で着脱可能に取り付けられていてもよい。
【０１２４】
このようにすると、撮像部７０の構造をより一層簡略化することができるとともに、基準チャートＫＣのパッチ面を記録媒体Ｐの撮像対象の記録面に近づけることができ、画像精度、ひいては、測色精度を向上させることができる。この場合においても、レンズ３６ａの焦点距離ｆと移動量を適切に設定することで、被写体及び基準チャートＫＣに対して２次元イメージセンサ３５への焦点を正確に合わせて撮像することができる。
【０１２５】
また、画像形成装置１は、撮像部３０、６０、７０の取り付けられている部分が、撮像部３０、６０、７０による撮像対象と基準チャートＫＣを撮像するのに必要かつ十分な状態で外部光が遮断されているときには、枠体３２の形状として、枠体３２内への外部光（迷光）の入射を防止する必要がないため、例えば、図４〜図８に示した撮像部３０の場合、枠体３２の底面部３２ａに形成している開口部３２ｃを、図２５及び図２６に撮像部８０として示すように、枠体３２の側面にまで、大きく開口した開口部３２ｆとしてもよい。
【０１２６】
このようにすると、枠体３２を軽量化、小型化することができ、コストを低減することができる。
【０１２７】
このように、本実施例の画像形成装置１は、被写体と対向する対向面に、該被写体を撮像するための開口部３２ｃと該開口部３２ｃを通して撮像される被写体とともに撮像されて所定の色基準を提供する基準チャートＫＣとが設けられている所定の箱形状の枠体３２と、被写体及び基準チャートＫＣへ略同じ照明条件で照明する照明光源３７と、開口部３２ｃに対向する被写体からの反射光と基準チャートＫＣからの反射光を受光して該被写体と該基準チャートＫＣとを撮像する２次元イメージセンサ（センサ手段）３５と、被写体と基準チャートＫＣから２次元イメージセンサ３５への反射光の光路中に配設されている少なくとも１枚のレンズを有するレンズユニット（レンズ部材）３６と、該レンズユニット３６のうち少なくとも１枚のレンズを２次元イメージセンサ３５に対して垂直方向に移動させるレンズ位置調整機構部（レンズ移動手段）４０と、を備えている。
【０１２８】
したがって、被写体と基準チャートＫＣとを、共に安定して撮像することができるとともに、イメージセンサ部３４に対するレンズユニット３６における被写体と基準チャートＫＣの焦点調整を適切に行なうことができ、被写体と基準チャートＫＣを常に安定した位置関係で高精度に撮像することができる。
【０１２９】
また、本実施例の画像形成装置１は、前記レンズ位置調整機構部４０が、レンズユニット３６を挟んで２次元イメージセンサ３５に対して垂直方向に延在して１対配設されその外周面にネジ部の形成されている棒状のガイドレール４２ａ、４２ｂと、１対のガイドレール４２ａ、４２ｂを同期して回転駆動させる駆動モータ（回転手段）４１ａ、４１ｂと、移動対象のレンズ３６ａを保持するとともにガイドレール４２ａ、４２ｂのネジ部に噛み合うネジ部を有するレンズホルダ（レンズ保持部材）４３と、を備えている。
【０１３０】
したがって、簡単な構成で、レンズと２次元イメージセンサ３５との位置調整を正確に行うことができ、イメージセンサ部３４に対するレンズユニット３６における被写体と基準チャートＫＣの焦点調整を適切に行なって、被写体と基準チャートＫＣを常に安定した位置関係で高精度に撮像することができる。
【０１３１】
さらに、本実施例の画像形成装置１は、前記レンズユニット３６が、１枚のレンズ３６ａである。
【０１３２】
したがって、簡単な構成で、レンズと２次元イメージセンサ３５との位置調整を正確に行うことができ、イメージセンサ部３４に対するレンズユニット３６における被写体と基準チャートＫＣの焦点調整を適切に行なって、被写体と基準チャートＫＣを常に安定した位置関係で高精度に撮像することができる。
【０１３３】
また、本実施例の画像形成装置１は、前記レンズユニット３６が、２次元イメージセンサ３５に対して垂直方向に配列されている３枚以上の複数枚のレンズ３６ａａ〜３６ａｄが組み合わされており、３枚以上の該レンズ３６ａａ〜３６ａｄのうち、外側２枚以外のレンズ３６ａｂ、３６ａｃのうち少なくとも１枚のレンズがレンズ位置調整機構部４０によって移動されるレンズである。
【０１３４】
したがって、レンズと２次元イメージセンサ３５との位置調整をより一層正確に行うことができ、イメージセンサ部３４に対するレンズユニット３６における被写体と基準チャートＫＣの焦点調整を適切に行なって、被写体と基準チャートＫＣを常に安定した位置関係で高精度に撮像することができる。
【０１３５】
さらに、本実施例の画像形成装置１は、被写体の撮像タイミングと基準チャートＫＣの撮像タイミングに合わせてレンズ位置調整機構部４０の駆動を制御してレンズユニット３６の２次元イメージセンサに対する垂直方向位置を調整するレンズ位置制御部（レンズ位置調整手段）５０をさらに備えている。
【０１３６】
したがって、レンズと２次元イメージセンサ３５との位置調整を自動で正確に行うことができ、イメージセンサ部３４に対するレンズユニット３６における被写体と基準チャートＫＣの焦点調整を適切に行なって、被写体と基準チャートＫＣを常に安定した位置関係で高精度に撮像することができる。
【０１３７】
また、上記説明においては、レンズ位置調整部５０が、測色制御部１０６に設けられている場合について説明したが、レンズ位置調整部５０は、測色制御部１０６に設けられている場合に限るものではなく、例えば、撮像部３０等自体が搭載していてもよいし、画像形成装置１のＣＰＵ１０１等がレンズ位置調整部５０の機能を実行または画像形成装置１の基板上にレンズ位置調整部５０が搭載されていてもよい。
【０１３８】
すなわち、撮像部３０は、レンズ位置調整部５０を搭載することで、単独で、レンズ３６ａの位置調整機能を備えた撮像装置として機能する。
【０１３９】
また、上述のように、撮像部３０と通信可能な測色制御部１０６や画像形成装置１自体がレンズ位置調整部５０を搭載することで、撮像部３０と該レンズ位置調整部５０及び通信部（通信手段）によって位置調整機能を備えた撮像システムとして機能する。
【０１４０】
さらに、上記説明においては、測色処理を、画像形成装置１の測色制御部１０６が行なっているが、測色処理は、画像形成装置１内部で実行する必要はなく、例えば、図２７に示すように、画像形成システム（測色システム）２００として、画像形成装置２１０が、外部装置２２０に接続されていて、画像形成装置２１０で撮像した画像データを、該外部装置２２０に出力し、該外部装置２２０が測色処理を伴う色調整処理を行って、色調整後の画像データを画像形成装置２１０に出力して、画像形成装置２１０が、外部装置２２０からの画像データに基づいて画像形成してもよい。
【０１４１】
すなわち、画像形成装置２１０は、エンジン２１１、操作表示部２１２、Ｉ／Ｆ部２１３及びその他のＩ／Ｆ部２１４等を備えており、各部は、バス２１５により接続されている。また、外部装置２２０は、例えば、通常のハードウェア構成とソフトウェア構成のコンピュータ等を用いることができ、ソフトウェアとして本発明の測色処理を伴う色調整処理を実行する測色プログラムを含む色調整プログラムを導入することで、測色処理を伴う色調整処理を実行する。外部装置２２０は、ＣＰＵ２２１、メモリ部２２２、画像処理部２２３、通信Ｉ／Ｆ部２２４及びＩ／Ｆ部２２５等を備えており、各部は、バス２２６により接続されている。メモリ部２２２は、ＲＯＭ２２７、ＲＡＭ２２８及びハードディスク（ＨＤＤ）２２９等を備えている。
【０１４２】
画像形成装置２１０は、Ｉ／Ｆ部２１３により回線２３０により外部装置２２０に接続されており、回線２３０は、専用線、ＬＡＮ（Local Area Network）等のネットワーク、インターネット等であって、有線であっても、無線であってもよい。
【０１４３】
画像形成装置２１０は、外部装置２２０の制御下で、外部装置２２０から送られてくる画像データに基づいてエンジン２１１で、記録媒体に画像を形成出力する。エンジン２１１は、インク噴射方式等で記録媒体に画像を形成し、操作表示部２１２は、各種操作キー及びＬＣＤ（Liquid Crystal Display）等のディスプレイ等を備えていて、画像形成装置２１０の動作に必要な各種操作が操作キーによって行われるとともに、画像形成装置２１０からユーザに通知する各種情報をディスプレイに表示出力する。その他Ｉ／Ｆ部２１４は、拡張ユニットの接続等に使用される。
【０１４４】
エンジン２１１は、上記実施例で説明したと同様の主走査方向に移動するキャリッジを備えており、該キャリッジに、上記撮像部３０が取り付けられている。画像形成装置２１０は、外部装置２２０のＣＰＵ２２１の制御下で、外部装置２２０から送られてくる測色調整色パッチＣＰの色パッチデータに基づいて記録媒体に、該測色調整パッチＣＰを形成して測色調整シートＣＳを生成し、生成した測色調整シートＣＳの測色調整パッチＣＰを撮像部（撮像手段）で読み取って、Ｉ／Ｆ部２１３を介して外部装置２２０に送信する。
【０１４５】
外部装置２２０は、画像形成装置２１０の動作制御を行う画像形成制御プログラムや本発明の測色処理を伴う色調整処理を行なう色調整プログラム及び必要なデータがハードディスク２２９またはＲＯＭ２２７に格納されており、ＣＰＵ２２１がＲＯＭ２２７またはハードディスク２２９内のプログラムに基づいて画像形成装置２１０を制御することで、画像形成装置２１０としての基本処理を実行させるとともに、本発明の測色処理を伴う色調整処理を実行する。
【０１４６】
ハードディスク２２９は、上記プログラムを格納するとともに、色調整処理を実行するのに必要な各種データ、特に、上記実施例で説明した基準シートＫＳに配列形成されている複数の基準色パッチＫＰの測色結果のＬａｂ値とＸＹＺ値のうち、少なくともいずれか、該基準シートＫＳの基準パッチＫＰを画像形成装置２１０の撮像部で読み取ったときの撮像基準ＲＧＢ値、基準値線形変換マトリックス、近傍点のテーブルと選択ＲＧＢ値線形変換マトリックス、基準シートＫＳと同時に読み取った基準チャートＫＣの各色パッチの初期基準ＲＧＢ値ＲｄＧｄＢｄ、測色調整シートＣＳの測色調整色パッチＣＰを読み取ったときに同時に読み取った基準チャートＫＣの基準パッチの測色時基準ＲＧＢ値ＲｄｓＧｄｓＢｄｓ及び測色時基準ＲＧＢ値ＲｄｓＧｄｓＢｄｓを初期基準ＲＧＢ値ＲｄＧｄＢｄに変換する基準ＲＧＢ間線形変換マトリックスが格納される。
【０１４７】
通信Ｉ／Ｆ部２２４は、ネットワーク等の回線を介してスキャナ装置、複合装置、他の外部装置等の画像処理装置に接続されており、画像形成装置２１０に画像出力させる画像データを受信する。上記通信Ｉ／Ｆ部２１３、通信Ｉ／Ｆ部２２４及び回線２３０は、全体として、通信手段として機能している。
【０１４８】
画像処理部２２３は、画像データに対して画像形成装置２１０のエンジン２１１で形成出力するのに必要な各種画像処理を施す。
【０１４９】
ＣＰＵ（算出手段）２２１は、上述のように、画像形成装置２１０の動作を制御するとともに、測色制御部１０６の演算部１２４、特に、測色値算出部１２６が実行する測色処理を実行して測色値を求め、該測色値に基づいて画像データに対して色調整を施して、画像形成装置２１０に出力する。
【０１５０】
なお、図２７の画像形成システム２００では、画像形成装置２１０の動作を外部装置２２０が制御しているが、画像形成装置２１０自体がＣＰＵ等のコントローラを備えて、画像形成動作自体については、該コントローラが制御を行い、測色値を求める測色処理のみ、または、測色処理を含む色調整処理についてのみ外部装置２２０が実行してもよい。
【０１５１】
このように、少なくとも画像形成装置２１０の外部装置で測色処理または測色処理を含む色調整処理を実行すると、安価な画像形成装置２１０においても安価にかつ適切に色再現性を向上させることができる。
【０１５２】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１５３】
１  画像形成装置
２  本体筐体
３  本体フレーム
４  主ガイドロッド
５  副ガイドロッド
６  キャリッジ
６ａ  連結片
７  タイミングベルト
８  駆動プーリ
９  従動プーリ
１０  主走査モータ
１１  カートリッジ部
１２  維持機構部
１３  カバー
２０ｙ、２０ｍ、２０ｃ、２０ｋ  記録ヘッド
２１  エンコーダセンサ
３０  撮像部
３１  基板
３２  枠体
３２ａ  底面部
３２ｂ  開口部
３２ｃ  開口部
３２ｄ  凹部
３２ｅ  保持部材
３３  締結部材
３４  イメージセンサ部
３５  ２次元イメージセンサ
３６  レンズユニット
３６ａ  結像レンズ
３７  照明光源
４０  レンズ位置調整機構部
４１ａ、４１ｂ  駆動モータ
４２ａ、４２ｂ  ガイドレール
４３  レンズホルダ
５０  レンズ位置調整部
６０、７０、８０  撮像部
１０１  ＣＰＵ
１０２  ＲＯＭ
１０３  ＲＡＭ
１０４  主走査ドライバ
１０５  記録ヘッドドライバ
１０６  測色制御部
１０７  紙搬送部
１０８  副走査ドライバ
１１０  画像処理部
１１１  インターフェイス部
１１２  Ａ／Ｄ変換部
１１３  シェーディング補正部
１１４  ホワイトバランス補正部
１１５  γ補正部
１１６  画像フォーマット変換部
１２１  フレームメモリ
１２２  タイミング信号発生部
１２３  光源駆動制御部
１２４  演算部
１２５  不揮発性メモリ
１２６  測色値算出部
２００  画像形成システム
２１０  画像形成装置
２１１  エンジン
２１２  操作表示部
２１３  Ｉ／Ｆ部
２１４  その他のＩ／Ｆ部
２１５  バス
２２０  外部装置
２２１  ＣＰＵ
２２２  メモリ部
２２３  画像処理部
２２４  通信Ｉ／Ｆ部
２２５  Ｉ／Ｆ部
２２６  バス
２２７  ＲＯＭ
２２８  ＲＡＭ
２２９  ハードディスク
２３０  回線
Ｔｂ１  メモリテーブル
ＫＳ  基準シート
ＫＰ  基準色パッチ
ＣＳ  測色調整シート
ＣＰ  測色調整パッチ
ＫＣ  基準チャート
Ｐａ〜Ｐｄ  基準色パッチ列
Ｐｅ  ドット径計測用パターン列
ｌｋ  距離計測用ライン
ｍｋ  チャート位置特定用マーカ
【先行技術文献】
【特許文献】
【０１５４】
【特許文献１】特開平５−２２３６４２号公報
【図１】
0005845987.tif 000002
【図２】
0005845987.tif 000003
【図３】
0005845987.tif 000004
【図５】
0005845987.tif 000005
【図８】
0005845987.tif 000006
【図９】
0005845987.tif 000007
【図１０】
0005845987.tif 000008
【図１４】
0005845987.tif 000009
【図１５】
0005845987.tif 000010
【図１８】
0005845987.tif 000011
【図１９】
0005845987.tif 000012
【図２０】
0005845987.tif 000013
【図２１】
0005845987.tif 000014
【図２２】
0005845987.tif 000015
【図２３】
0005845987.tif 000016
【図２４】
0005845987.tif 000017
【図２５】
0005845987.tif 000018
【図２７】
0005845987.tif 000019
【図４】
0005845987.tif 000020
【図６】
0005845987.tif 000021
【図７】
0005845987.tif 000022
【図１１】
0005845987.tif 000023
【図１２】
0005845987.tif 000024
【図１３】
0005845987.tif 000025
【図１６】
0005845987.tif 000026
【図１７】
0005845987.tif 000027
【図２６】
0005845987.tif 000028